(57)【要約】【課題】複数の移動端末間で電子情報を共有するシステムにおいて、データ配信元の負荷分散とネットワーク帯域の効率利用を図る。【解決手段】特定のコミュニティに属する複数移動端末４内に格納された公開ファイルの保持情報を、ファイル共有管理システム１で収集し、コミュニティに属する移動端末４に対して公開ファイルの一覧を提供する仕組みと、移動端末４からの公開ファイルの配信要求に対して、ファイル共有管理システム１は、公開ファイルを保持する移動端末４の中から、端末のプレゼンス情報によって最適な配信元を指定し、指定された移動端末４から要求元移動端末４に公開ファイルが送信される仕組みと、各移動端末４がコミュニティ内の他の移動端末４に公開ファイルを送信した通信データ量をカウントし、各移動端末４のネットワーク効率利用貢献度を測定する仕組みを提供する。【選択図】  図１
2004172818.tif 000002
【特許請求の範囲】
【請求項１】
予めグループ化されたグループに所属し、該グループに公開する情報を格納した１つ又は複数の第１の無線端末と、
該グループに所属し、前記第１の無線端末により該グループに公開されている情報を要求する第２の無線端末と、
無線ネットワークを介して前記第１及び第２の無線端末と接続され、前記第１の無線端末により公開されている情報の格納先を記憶したファイル管理情報と、前記第１及び第２の無線端末の位置情報識別子、及び、通信状態若しくは通信可能な通信帯域を示す端末通信情報を含むプレゼンス情報とを管理するファイル共有管理システムと
を備えた電子情報共有システムであって、
前記第２の無線端末は、前記ファイル共有管理システムから公開されている情報の一覧を取得し、取得した一覧の中から、所望する情報を選択して前記ファイル共有管理システムに情報の取得を要求し、
前記ファイル共有管理システムは、前記第２の無線端末からの情報の取得の要求に対して、ファイル管理情報及びプレゼンス情報に基づき、前記第１の無線端末の中から要求された情報を配信する前記第１の無線端末を指定し、及び、指定した前記第１の無線端末に、前記第２の無線端末の端末識別子及び／又はネットワークアドレス及び送信指示を送信し、
前記第１の無線端末は、前記ファイル共有管理システムからの送信指示を受信し、受信した端末識別子又はネットワークアドレスに基づき、要求された情報を前記第２の無線端末に送信する電子情報共有システム。
【請求項２】
前記プレゼンス情報は、前記第１及び第２の無線端末の位置するエリアをカバーする基地局若しくはセル、又は、衛星を利用した位置情報を示す位置情報識別子と、前記端末通信情報のいずれか又は複数を含み、
前記ファイル共有管理システムは、前記第１並びに第２の無線端末又は前記無線ネットワークからプレゼンス情報を所定のタイミングで取得し、管理することを特徴とする請求項１に記載の電子情報共有システム。
【請求項３】
前記第１及び第２の無線端末は、前記位置情報識別子若しくは前記端末通信情報の変更を検知した際、及び／又は、電源の入若しくは切の切替の際、及び／又は、所属するグループへの参加若しくはグループからの離脱を行った際に、前記ファイル共有管理システムに、変更されたプレゼンス情報及びプレゼンス情報の変更要求を送信し、
前記ファイル共有管理システムは、前記第１及び第２の無線端末からのプレゼンス情報の変更要求を受信し、該変更要求に従い、管理するプレゼンス情報を更新することを特徴とする請求項１又は２に記載の電子情報共有システム。
【請求項４】
前記第１の無線端末は、公開する情報の追加及び／又は削除を行う際に、前記ファイル共有管理システムに対して、追加及び／又は削除する情報を識別するための公開ファイル保持情報及びファイル管理情報の変更要求を送信し、
前記ファイル共有管理システムは、前記第１の無線端末からのファイル管理情報の変更要求を受信し、該変更要求に従い、ファイル管理情報を変更することを特徴とする請求項１乃至３のいずれかに記載の電子情報共有システム。
【請求項５】
前記第１及び第２の無線端末は、予め登録された特定の無線通信範囲に入ったことを検知した際、又は、入力部から認証要求指示を入力した際に、前記ファイル共有管理システムに対してグループに所属することの認証を要求し、
前記ファイル共有管理システムは、認証の要求を受けて、前記第１及び第２の無線端末の認証を行い、認証された前記第１及び第２の無線端末からの、情報の公開及び情報の取得の要求を受け付けることを特徴とする請求項１乃至４のいずれかに記載の電子情報共有システム。
【請求項６】
情報を配信する前記第１の無線端末は、前記第２の無線端末に送信した通信データ量をカウントし、カウントした通信データ量を前記ファイル共有管理システムに送信し、
前記ファイル共有管理システムは、前記第１の無線端末から通信データ量を受信し、所定期間での通信データ量の累計値を蓄積することを特徴とする請求項１乃至５のいずれかに記載の電子情報共有システム。
【請求項７】
前記通信データ量の累計値は、情報を送信した前記第１の無線端末に対する通信料金の割引率、所属グループの会員料金の割引率、通信料金又は所属グループの会員料金における現金還元の変換率、景品交換における交換率、無料通信時間の変換率のいずれか又は複数の組み合わせ等の無線端末への優待に利用されることを特徴とする請求項６に記載の電子情報共有システム。
【発明の詳細な説明】
【０００１】
【発明の属する技術分野】
本発明は、電子情報共有システムに係り、特に、複数の移動端末等の無線端末、固定端末間で電子情報を共有する電子情報共有システムに関する。
【０００２】
【従来の技術】
昨今、携帯電話やＰＤＡのような移動端末は、記憶容量の増加と機能の高度化に伴い、単なるテキスト情報や簡易なＷｅｂサイトにとどまらず、写真や動画、音楽といった容量の大きい情報を扱うようになっている。それに伴い、移動端末に記憶している様々な情報を他の端末と共有したいというニーズが出ている。例えば、特定の条件（趣味・嗜好・場所・所属団体など）に基づいて形成されたグループ（本明細書では以下コミュニティと呼ぶことにする）に所属した人の持つ複数の移動端末の間で、携帯端末に付属したカメラで撮影した複数の写真を共有したいといった場合である。
現在、多くの携帯電話は、インターネットと接続することが可能になっている。そこで、複数の携帯電話で情報共有をしたい場合、インターネット上に情報共有のためのサーバを設置し、そのサーバに共有したい情報を保存し、複数の端末がインターネット経由で情報にアクセスすることで、情報共有が可能である。
【０００３】
また、特許文献１に示されている情報配信システムから類推できるシステムによっても実現可能である。この情報配信システムでは、無線ネットワーク内の無線基地局内に設置されたキャッシュサーバにＷＷＷ情報を蓄積することで、移動端末へのＷＷＷ情報配信の迅速化を図り、また、特定の場所にいる端末や特定の情報を優先して配信することを可能にしている。
更に、共有したい情報をコミュニティのメンバ宛てに電子メールに添付して配布することで、情報を共有する方法もある。
【特許文献１】
特開２０００−２７６４２５号公報
【０００４】
【発明が解決しようとする課題】
インターネット上に設置された情報共有サーバを利用する場合、共有する情報が増加するにつれて、情報共有サーバは大容量化することが考えられる。また、情報共有サーバにアクセスする端末の数が増加すると、サーバや携帯電話網又はＰＨＳ網とインターネットの間に設けられたゲートウェイサーバに集中的に負荷がかかり、結果として端末への応答時間が遅くなったり、サービスが停止してしまったりする可能性がある。また、大容量のデータを転送する際、携帯電話網又はＰＨＳ網のような限られた無線帯域を利用したネットワーク内では、ネットワークの効率利用が求められる。特許文献１にて示される情報配信システムでは、無線基地局に置かれたキャッシュサーバに頻繁にアクセスされるＷＷＷ情報をあらかじめ蓄積することで、ＷＷＷサーバへの負荷集中を軽減し、ネットワークの効率利用が可能になる。しかし、このシステムはＷＷＷ情報に限られたものであり、移動端末に付属のカメラで撮影された画像情報や映像情報などのＷＷＷ情報化されていない情報は対象としていない。また、多数のアクセスが予想されるＷＷＷサーバ内の情報に関しては、負荷分散の効果が現れると考えられるが、それほど大規模なアクセスが予想されない情報に関しては負荷分散の効果が薄く、返ってキャッシュサーバを用意することの負担が大きくなると考えられる。
【０００５】
一方、電子メールを利用する場合、コミュニティのメンバは、あらかじめ自分の端末にメンバの電子メールアドレスを記憶させる必要がある。また、共有情報を配布する際に配布者は、コミュニティのメンバ全員のアドレスをあて先に指定する必要がある。このように、利用者側に煩雑な作業が発生する。また、配布情報を受け取る側にとっては、配布情報が有用なものか無用なものか、電子メールと添付情報を端末に全て受信した後に判断することになる。例えば、大容量の情報が電子メールに添付されている場合、その添付情報を必要なものか不必要なものなのか事前に判断してから受信することができない。また、不要な情報をネットワーク上に流すことになるため、ネットワークを効率的に利用することができない。
【０００６】
本発明は、以上の点に鑑み、携帯電話網のような無線ネットワークにおいて、複数の端末間で各端末に保持された情報を共有する仕組みであって、ネットワーク帯域の効率利用とネットワークシステム内の負荷集中を軽減する電子情報共有システムを提供することを目的とする。さらに本発明は、利用者の作業負担を軽減し、利便性を高める電子情報共有システムを提供することを目的とする。
【０００７】
【課題を解決するための手段】
本発明は、次の仕組みを提供することでかかる目的を達成する。
特定のコミュニティに属する複数移動端末内に格納された公開ファイルの保持情報をファイル共有管理システムで収集し、コミュニティに属する移動端末に対して公開ファイルの一覧を提供する仕組み。また、移動端末からの公開ファイルの配信要求に対して、公開ファイルを保持する移動端末の中から、端末のプレゼンス情報によって最適な配信元を指定し、指定された移動端末から要求元移動端末に公開ファイルが送信される仕組み。更に、各移動端末がコミュニティ内の他の端末に公開ファイルを送信した通信データ量をカウントし、各移動端末のネットワーク効率利用貢献度を測定する仕組み。また、端末のプレゼンス情報の変化によって、コミュニティへのログイン及びログオフ、を行う仕組みを備えていてもよい。
【０００８】
本発明は、上記の仕組みを実現するために、下記の手順を実行する。
本発明に係る電子情報共有システムは、ファイル共有管理システムと複数のネットワークと複数の移動端末からなり、複数のネットワークの一つは無線ネットワークであり、前記ファイル共有管理システムと前記無線ネットワークは、他のネットワークで接続されている。前記ファイル共有管理システムは、前記移動端末の通信状態や位置情報を管理し、グループ内で公開されることを前提に格納されている情報をグループごとに管理している。
【０００９】
前記移動端末は、前記無線ネットワークと他のネットワークを介して前記ファイル共有管理システムと通信を行い、特定の条件に基づいてグループ化され、グループに公開することを前提にした情報を格納している。また、移動端末は、自らが所属するグループ内の複数の移動端末に格納されている情報の一覧を前記ファイル共有管理システムから取得し、一覧より所望する情報をファイル共有管理システムに要求する。
【００１０】
前記ファイル共有管理システムは、要求を受けると要求された情報を格納する移動端末の中から、それぞれの通信状態や位置情報などの条件に基づいて、要求された情報の最適な配信元を指定し、指定した移動端末に要求されている情報を配信するように通知する。通知を受けた移動端末は、情報を要求している移動端末に情報を送信する。なお、前記ファイル共有管理システムは、グループに所属した移動端末にのみ前記グループ内の移動端末が格納する情報の一覧を提供し、前記グループ内の移動端末が格納する情報に追加や削除等の変更があった場合は、表示する一覧を変更する手段を備えていてもよい。
【００１１】
また、前記ファイル共有管理システムは、グループに所属した移動端末の要求を受けて、認証を行い、前記グループ内の移動端末が格納する情報の一覧の提供、及び、前記グループ内の移動端末が格納する情報の取得を許可する手段を備えていてもよい。さらに、前記移動端末は、あらかじめ登録した特定の無線通信範囲に入ったことを検知して、前記ファイル共有管理システムに認証を要求する手段を備えていてもよい。
【００１２】
前記ファイル共有管理システムは、前記無線ネットワーク又は前記移動端末から、端末のプレゼンス情報（所属する無線セル識別子や衛星を利用した位置情報や電源が入っているか否か、音声通話中か否か、その他のデータ通信中か否か及びデータ通信可能な通信帯域などから構成される通信状態情報）を取得する手段を備えている。端末のプレゼンス情報取得のタイミングは、端末のプレゼンス情報の変更を検知した際や電源の入又は切及び所属するグループへの参加又は所属グループからの離脱を行った際に行われてもよい。この時、前記移動端末は、前記ファイル共有管理システムに自らの無線セル識別子、衛星を利用した位置情報、通信状態情報のいずれかまたは全ての変更を要求する。
【００１３】
また、前記移動端末は、特定グループに公開することを前提に自らが格納している情報の保持情報を管理し、所定のタイミングで所定のタイミングで、特定グループに公開することを前提に自らが格納している情報の保持情報をファイル共有管理システムに通知する。また、前記移動端末は、公開を前提とする情報の追加及び削除を行う際に、前記ファイル共有管理システムに対して、自らが格納している情報の保持情報の変更を要求する手段を備えていてもよい。
【００１４】
前記移動端末は、自らが所属するグループ内の他の移動端末に対して、特定グループに公開を許可することを前提に自らが格納している情報を送信する際の通信データ量をカウントし、ファイル共有管理システムに通知する。また、前記ファイル共有管理システムは、所定期間での前記移動端末から通知された通信データ量の値の累計値を蓄積する手段を備える。
【００１５】
蓄積された通信データ量の累計値は、通信料金の割引率、特定グループの会員料金の割引率、前記通信料金または特定グループの会員料金におけるキャッシュバック（現金還元）の変換率、景品交換における交換率、無料通信時間の変換率のいずれか、全てまたは複数の組み合わせにおける、算定基準として利用される。
【００１６】
本発明の解決手段によると、
予めグループ化されたグループに所属し、該グループに公開する情報を格納した１つ又は複数の第１の無線端末と、
該グループに所属し、前記第１の無線端末により該グループに公開されている情報を要求する第２の無線端末と、
無線ネットワークを介して前記第１及び第２の通信端末と接続され、前記第１の無線端末により公開されている情報の格納先を記憶したファイル管理情報と、前記第１及び第２の通信端末の位置情報識別子、及び、通信状態情報若しくは通信可能な通信帯域を示す端末通信情報を含むプレゼンス情報とを管理するファイル共有管理システムと
を備えた電子情報共有システムであって、
前記第２の無線端末は、前記ファイル共有管理システムから公開されている情報の一覧を取得し、取得した一覧の中から、所望する情報を選択して前記ファイル共有管理システムに情報の取得を要求し、
前記ファイル共有管理システムは、前記第２の無線端末からの情報の取得の要求に対して、ファイル管理情報及びプレゼンス情報に基づき、前記第１の無線端末の中から要求された情報を配信する前記第１の無線端末を指定し、及び、指定した前記第１の無線端末に、前記第２の無線端末の端末識別子及び／又はネットワークアドレスと共に送信指示を送信し、
前記第１の無線端末は、前記ファイル共有管理システムからの送信指示を受信し、受信した端末識別子又はネットワークアドレスに基づき、要求された情報を前記第２の無線端末に送信する電子情報共有システムが提供される。
【００１７】
【発明の実施の形態】
以下、本発明の実施の形態について図面を参照しつつ、詳細に説明する。
【００１８】
１．システム構成
図１は、本実施の形態における電子情報共有システムの全体構成図である。図１に示すように、本システムは、ファイル共有管理システム１と無線通信網２と複数の基地局３ａ、３ｂ、…、３ｎと複数の移動端末４ａ−１、４ａ−２、…、４ａ−ｎ、…、４ｎ−１、４ｎ−２、…、４ｎ−ｎとネットワーク５を備える。セル６ａ、…、６ｎは、基地局３ａ、…、３ｎの通信可能範囲であり、それぞれ移動端末４ａ−１、４ａ−２、…、４ａ−ｎ、…、４ｎ−１、４ｎ−２、…、４ｎ−ｎが所属している。
【００１９】
ファイル共有管理システム１は、端末プレゼンス管理部１１と配信管理部１２とファイル管理部１３とポータル管理部１４とコミュニティ管理部１５とを備える。また、ファイル共有管理システム１は、ファイル格納部１６を備えてもよい。
【００２０】
（ファイル共有管理システムの詳細説明）
ファイル共有管理システム１は、ネットワーク５によって無線通信網２に接続されている。無線通信網２の例としては、携帯電話網、ＰＨＳ網、ＩＭＴ２０００網またはＨＤＲ網などが挙げられ、この場合基地局３ａ、３ｂ、…、３ｎはそれぞれのネットワークに対応するものとなる。また、基地局３ａ、３ｂ、…、３ｎを無線ＬＡＮのアクセスポイントで構成し、無線通信網２をＩＰネットワークで構築する構成としてもよい。ネットワーク５の例としてはＬＡＮ、専用線網、ＩＰ網などがある。なお、これ以外にも適宜の無線通信網及びネットワークを用いても良い。
【００２１】
端末プレゼンス管理部１１は、図２に示すテーブル１１１を備える。テーブル１１１は、例えば、移動端末４を識別するための端末識別子に対応して、位置情報識別子と、共有している情報が配信可能かを示す通信状態情報と、通信可能な通信帯域とを含むプレゼンス情報が記憶される。位置情報識別子の例としては、所属するセルを示すセル識別子やＧＰＳによる位置情報などが挙げられる。また、通信状態情報は、例えば、電源が入っているか否か、音声通話中か否か、その他のデータ通信中か否か等を含む。通信状態情報及びデータ通信可能な通信帯域を端末通信情報とする。なお、端末通信情報は、通信状態情報を省略して、データ通信可能な通信帯域のみが記憶されていても良い。これらプレゼンス情報は、例えば、公開している情報の配信元を決定する際に使用される。
【００２２】
配信管理部１２は、移動端末４の要求に基づき、端末プレゼンス管理部１１とファイル管理部１３とを検索して共有情報の配信元となる移動端末４を決定し、配信元移動端末に対して、要求移動端末に情報を送信するように通知する。また、配信管理部１２は、配信元移動端末が配信した情報のデータ量を管理する。
【００２３】
図３は、配信管理部１２が備えるテーブル１２１のフォーマットである。テーブル１２１は、例えば、各移動端末４を識別する端末識別子と各移動端末が他の移動端末に配信したデータの総量を示す配信データ量情報が記憶される。
【００２４】
ファイル管理部１３は、コミュニティ毎に図４に示すテーブル１３１を備える。テーブル１３１は、公開されているファイルを識別するためのファイル識別子と当該ファイルを保存している端末を示す保存端末識別子が記憶される。ファイル識別子の例としては、ファイル名（画像ａ．ｊｐｇ、動画ｃ．ｍｐｇ）が挙げられる。また保存端末識別子の代わりに、ファイルが格納された端末内のフォルダへのパス情報を利用することも可能である（Ａ￥ｋｏｕｋａｉ￥ｃｏｍｍｕｎｉｔｙ１、Ｂ￥ｋｏｕｋａｉ￥ｃｏｍｍｕｎｉｔｙ２）。なお、同一ファイルを複数の移動端末が同時に格納していてもよい。さらに、テーブル１３１には、ファイル識別子に対応してタイトル、コメント、ジャンル等のファイルに関する情報が付加されていても良い。
【００２５】
ポータル管理部１４は、各コミュニティのポータルサイトを管理する。また、ポータル管理部１４は、ファイル管理部１３のもつテーブル１３１の変更を検知して、自動的にポータルの内容を変更する機能を備えていてもよい。コミュニティのポータルサイトの例を図５に示す。ポータルサイトは、例えば、ＨＴＭＬ（Ｈｙｐｅｒ  Ｔｅｘｔ  Ｍａｒｋｕｐ  Ｌａｎｇｕａｇｅ）や、Ｃ−ＨＴＭＬ（Ｃｏｍｐａｃｔ  Ｈｙｐｅｒ  Ｔｅｘｔ  Ｍａｒｋｕｐ  Ｌａｎｇｕａｇｅ）やＷＡＰ（Ｗｉｒｅｌｅｓｓ  Ａｐｐｌｉｃａｔｉｏｎ  Ｐｒｏｔｏｃｏｌ）などで記述され、少なくともコミュニティ内で公開されている情報の一覧を備える。なお、ポータル管理部１４は省略することも可能である。ポータル管理部１４を省略する場合は、移動端末４がファイル管理部１３の持つテーブル内の情報を取得または検索する手段を持つ。
【００２６】
コミュニティ管理部１５は、コミュニティ毎のコミュニティ管理テーブルとテーブルを書き換える手段を備える。図６は、１つのコミュニティ１のコミュニティ管理テーブルの例である。コミュニティ管理テーブル１５１１は、例えば、コミュニティを構成する端末の端末識別子と各端末のユーザＩＤとパスワードとコミュニティへの参加状態を示す参加情報が記憶される。なお、ユーザＩＤは、端末識別子で代用するようにしてもよい。また、一つの移動端末４が複数のコミュニティに所属するようにしてもよい。更に、コミュニティ管理部１５は、移動端末４がコミュニティにログインする際に認証する手段と、移動端末４がコミュニティからログオフしたことを認識する手段を備える。また、コミュニティ管理部１５は、移動端末４がコミュニティ登録の際に必要な情報を送信するための登録画面情報を格納していてもよい。
【００２７】
図７は、コミュニティ登録の際に使用する登録画面情報の例である。本実施の形態では、少なくとも登録を希望するコミュニティの識別子（例えば、コミュニティ１）、ユーザＩＤ（例えば、ＡＡＡ１）、パスワード（例えば、○×）を入力するための画面を有する。さらに、ユーザを特定するため名前、住所、Ｅ−ｍａｉｌアドレスを登録情報とすることも可能である。また、コミュニティ登録が有料の場合は、支払いのためのクレジット番号情報や電子商取引のための各種情報を入力できるようにしてもよい。
【００２８】
ファイル格納部１６は、各コミュニティで共有される情報を記憶する。例えば、移動端末４内に長時間保存できないが、コミュニティ内で共有したい動画映像のような大容量の情報を保存する際に利用される。なお、ファイル格納部１６は省略してもよい。
【００２９】
無線通信網２には基地局３が複数配置される。基地局３ａは、セル６ａを通信可能範囲とする。また、基地局３ｂは、セル５ｂを通信可能範囲とする。移動端末４は、基地局３を介し無線通信網２を通じてファイル共有管理システム１との通信や移動端末同士の通信を行う。
【００３０】
２．端末構成
図８は、移動端末４の構成を示す図である。移動端末４は、情報格納部４１と通信制御部４２とプレゼンス制御部４３と情報表示部４４とコミュニティ制御部４５と公開ファイル管理部４６と情報入力部４７を備える。
【００３１】
情報格納部４１は、コミュニティ内で共有する情報が記憶される公開ファイル記憶部４１１と、公開ファイル保持情報記憶部４１２と、コミュニティ情報保持部４１３と、位置情報識別子保持部４１４と、移動端末４の端末識別子が記憶される端末識別子保持部４１５とを有する。
【００３２】
図９は、公開ファイル保持情報記憶部４１２が保持する保持情報のテーブルである。保持情報のテーブル４１２１は、公開ファイル記憶部４１１に記憶されたファイルの識別子と各ファイルを公開するコミュニティの識別子とを含む。ファイルの識別子としては、例えば、ファイル名を用いることができる。
【００３３】
図１０は、コミュニティ情報保持部４１３が保持するコミュニティ情報のテーブルである。コミュニティ情報のテーブル４１３１は、移動端末４が所属するコミュニティの識別子を含む。さらに、コミュニティ情報保持部４１３は、コミュニティ登録画面情報やログインする際に必要な認証情報（ユーザＩＤ、パスワード等）を格納していてもよい。
【００３４】
位置情報識別子保持部４１４は、例えば、移動端末４が所属している無線セルを特定する無線セル識別子やＧＰＳシステムによる位置情報などが格納される。
【００３５】
通信制御部４２は、ファイル共有管理システム１や他の移動端末４との通信を制御する手段と、所属する無線セルの変更を基地局３から取得する手段と、位置情報識別子保持部４１４内の情報を書き換える手段とを備える。また、特定の無線セルに所属したことを検知して、コミュニティ制御部４５に通知する機能を備えてもよい。また、移動端末４がファイル共有管理システム１の指示に従って、他の移動端末４に情報を配信した際、配信したデータ量をカウントし、ファイル共有管理システム１に通知する機能を備えてもよい。
【００３６】
プレゼンス制御部４３は、移動端末４のプレゼンス情報をファイル共有管理システム１に送信する手段を備える。プレゼンス情報としては、例えば、位置情報識別子保持部４１４に格納された無線セル識別子やＧＰＳによる位置情報、移動端末４が他の移動端末やサーバと通信しているか否かを示す通信状態情報などである。
【００３７】
情報表示部４４は、他の移動端末４から受信した公開ファイルやファイル共有管理システム１から受信する通知及び情報を表示する手段を備える。
コミュニティ制御部４５は、コミュニティへの登録を行う手段と、移動端末４が所属するコミュニティへのログインのための認証手段やログオフを行う手段と、コミュニティ情報保持部４１３に記憶されるコミュニティ識別子を変更する手段を備える。また、特定の無線セルに所属したことを通信制御部４２から受信し、自動的にコミュニティへのログインを開始する手段を備えていてもよい。
【００３８】
公開ファイル管理部４６は、公開ファイル記憶部４１１内のテーブルを書き換える手段と、公開ファイル保持情報記憶部４１２内のテーブルを書き換える手段と、ファイル共有管理システム１内のファイル管理部１３に対して、ファイル管理部１３が管理するテーブルの変更を要求する手段を備える。該テーブルの変更を要求するタイミングは、例えば、移動端末４がコミュニティにログインした際や公開ファイル保持情報記憶部４１２に変更があった際等である。なお、その他適宜のタイミングで行っても良い。また、公開ファイル管理部４６は、公開ファイル記憶部４１１に記憶されている情報の追加又は削除を検知し、公開ファイル保持情報記憶部４１２を書き換える手段を備えていても良い。さらに、公開ファイル管理部４６は、自らが所属するコミュニティ内の公開ファイルの一覧の取得をファイル管理部１３又はポータル管理部１４に対して要求する手段や、ファイル管理部１３に対してテーブル１３１の検索を要求する手段を備えていてもよい。
【００３９】
情報入力部４７は、ユーザが各種設定情報や要求情報を入力する手段を備える。例えば、ダイヤルボタン、タッチペン、カメラ、マイク等を備える。
【００４０】
３．フローチャート
図１１は、本実施の形態における動作を説明するための全体システム構成図である。図１１に示す全体システム構成図は、無線通信網２として携帯電話又はＰＨＳ網を用い、コミュニティに所属する移動端末４として、移動端末Ａ〜Ｆを用いている例である。以下に、図１１に示す全体システム構成を用いて本実施の形態の動作を示す。
【００４１】
図１２及び図１３は、本実施の形態における各構成要素の動作を示すシーケンス図である。本実施の形態では、一例として少なくとも移動端末Ａと移動端末Ｂと移動端末Ｃと移動端末Ｄは同一のコミュニティに所属しているものとする。
【００４２】
図１２は、移動端末４とファイル共有管理システム１との間で行われるコミュニティ登録、コミュニティへのログイン、プレゼンス情報登録、公開ファイル登録の動作を示すシーケンス図である。
【００４３】
（コミュニティ登録）
まず、移動端末Ａは、コミュニティへの登録を行う。コミュニティ制御部４５は、コミュニティ情報保持部４１３またはファイル共有管理システム１内のコミュニティ管理部１５に格納されたコミュニティ登録画面１５０を呼び出す。ユーザは、情報入力部４７より登録情報入力表１５０１にコミュニティ登録に必要な情報を入力する。入力するコミュニティ登録情報は、少なくとも登録を希望するコミュニティの識別子（例えば、コミュニティ１）、ユーザＩＤ（例えば、ＡＡＡ１）、パスワード（例えば、○×）を含む。なお、ユーザＩＤは、端末識別子を用いても良い。この時、ユーザを特定するため名前、住所、Ｅ−ｍａｉｌアドレスを登録情報とすることも可能である。また、コミュニティ登録が有料の場合は、支払いのためのクレジット番号情報や電子商取引のための各種情報を入力することが考えられる。必要情報の入力が終了し、ユーザが登録ボタン１５０２を押すとコミュニティ制御部４５は、端末識別子保持部４１５より端末識別子を取得し、コミュニティ登録要求とコミュニティ登録情報と端末識別子を通信制御部４２を介してコミュニティ管理部１５に送信する（Ｓ１００１）。また、キャンセルボタン１５０３が押されることで処理を中止するようにしても良い。
【００４４】
コミュニティ管理部１５は、移動端末Ａからコミュニティ登録要求とコミュニティ登録情報と端末識別子を受信し、図６に示すテーブル１５１１に移動端末Ａのレコードを新しく追加する。テーブル１５１１の変更が完了したら、コミュニティ管理部１５は、移動端末Ａにコミュニティ登録完了通知を行う（Ｓ１００３）。通信制御部４２を介して登録完了通知を受け取ったコミュニティ制御部４５は、コミュニティ情報保持部４１３内に登録したコミュニティの識別子を格納する（Ｓ１００４）。この時、同時に登録したユーザＩＤとパスワードを格納してもよい。
【００４５】
本実施の形態では、専用のコミュニティ登録画面１５０を利用してコミュニティ登録をオンラインで行うが、書面などによりユーザとコミュニティ管理者との間でコミュニティ登録情報の交換を行い、その情報をコミュニティ管理者がコミュニティ管理部１５に入力することで登録を行ってもよい。また、本実施の形態では、ユーザがユーザＩＤとパスワードを決定したが、コミュニティ管理者がユーザＩＤとパスワードを配布してもよい。
【００４６】
（コミュニティログイン）
次に、移動端末Ａは、コミュニティへのログインを行う。移動端末Ａ内のコミュニティ制御部４５は、ファイル共有管理システム１に対してコミュニティログイン要求と、ログインを要求するコミュニティのコミュニティ識別子と、認証に必要なユーザＩＤ及びパスワード等の認証情報とを送信する（Ｓ１００５）。なお、コミュニティ管理部４５は、送信するコミュニティ識別子、ユーザＩＤ、パスワードをコミュニティ情報保持部４１３から読み出しても良いし、情報入力部４７から入力しても良い。
【００４７】
ファイル共有管理システム１内のコミュニティ管理部１５は、移動端末Ａからログイン要求とコミュニティ識別子とユーザＩＤとパスワードを受信すると、コミュニティ１のコミュニティ管理テーブル１５１１から移動端末ＡのユーザＩＤとパスワードを検索し、移動端末Ａから送信されたユーザＩＤおよびパスワードと照合することで認証を行う（Ｓ１００６）。照合の結果双方が一致した場合、認証が完了し、コミュニティ管理部１５は移動端末Ａにログイン許可通知を行う（Ｓ１００７）。一方、双方が一致しなかった場合、コミュニティ管理部１５は、移動端末Ａに対して認証の失敗を通知し、ユーザＩＤとパスワードの再送を依頼する。また、コミュニティ管理部１５は、認証完了後、適宜のタイミングでコミュニティ管理テーブル１５１１のユーザＩＤに対応する参加情報を書き換える。コミュニティ登録及びログインが終了した後のコミュニティ管理テーブルは、図６のテーブル１５１２に示すようになる。
【００４８】
なお、本実施の形態では、コミュニティのログインはユーザの意思で開始されるが、例えばある特定の無線セル内に移動端末が移動したことを通信制御部４２が検知して、コミュニティ制御部４５が自動的にコミュニティへのログインを開始してもよい。その場合、まず通信制御部４２は、あらかじめ登録された無線セルに移動端末が所属したのを検知すると、コミュニティ制御部４５に無線セルの識別子を通知する。通信制御部４２から通知を受けたコミュニティ制御部４５は、ファイル共有管理システム１に対して、コミュニティへのログイン要求と、ログインするコミュニティ識別子と、認証情報であるユーザＩＤとパスワードを送信する。なお、自動的にログインを開始するための無線セルに関する情報は、例えば、コミュニティ情報保持部４１３に登録されていても良い。さらに、特定の無線セル識別子と対応して自動ログインするコミュニティの識別子が、コミュニティ情報保持部４１３に予め記憶されていても良い。
【００４９】
コミュニティへのログイン終了後、移動端末Ａは、自らのプレゼンス情報をファイル共有管理システム１へ登録する。移動端末内のプレゼンス制御部４３は、端末識別子保持部４１５から取得した端末識別子と位置情報識別子保持部４１４から取得した位置情報識別子と、通信制御部４２から取得した通信状態情報をファイル共有管理システム１内の端末プレゼンス管理部１１に送信する（Ｓ１００８）。端末プレゼンス管理部１１は、移動端末Ａから送信された情報を受信し、受信した情報に基づきテーブル１１１の移動端末Ａに関するプレゼンス情報を記録する（Ｓ１００９）。プレゼンス情報の記録が完了したら、端末プレゼンス制御部１１は、移動端末Ａに対してプレゼンス情報登録完了を通知する（Ｓ１０１０）。なお、端末プレゼンス管理部１１は、プレゼンス情報を移動端末から受信する以外に、ネットワーク上の適宜のサーバ、システム、基地局から受信してもよい。
【００５０】
プレゼンス情報の登録後、移動端末Ａは、コミュニティに公開するファイルの保持情報をファイル共有管理システム１へ登録する。移動端末Ａ内の公開ファイル管理部４６は、公開ファイル保持情報記憶部４１２から公開ファイル保持情報を取得し、さらに、端末識別子保持部４１５から端末識別子を取得する。次に、公開ファイル管理部４６は、取得した公開ファイル保持情報と端末識別子を、ファイル共有管理システム１内のファイル管理部１３に送信する（Ｓ１０１１）。ファイル管理部１３は、移動端末Ａから送信された情報を受信し、受信した情報に基づき、テーブル１３１に変更を加える（Ｓ１０１２）。ファイル管理部１３は、新規の情報の場合新たにレコードを記録し、すでにテーブルに登録されている情報の場合は、受信した端末識別子をテーブル１３１の保存端末識別子として追加する。テーブル１３１への公開ファイルの登録が完了したら、ファイル管理部１３は移動端末Ａに対して公開ファイル登録完了通知を行う（Ｓ１０１３）。
【００５１】
なお、移動端末のプレゼンス情報に変更が加わった場合、例えば、移動端末が別のセルに移動した場合（Ｓ１０１４）、以下の手順でプレゼンス情報の変更を行う。まず、通信制御部４２は、無線セルの変更を検知し、プレゼンス制御部４３に通知する（Ｓ１０１５）。また、通信制御部４２は、位置情報識別子保持部４１４の位置情報識別子を変更する。プレゼンス制御部４３は、変更された無線セル識別子を取得し、ファイル共有管理システム１内の端末プレゼンス管理部１１に、端末識別子と共に送信する（Ｓ１０１６）。端末プレゼンス管理部１１は、移動端末Ａから送信された端末識別子及び位置情報識別子に基づいて、テーブル１１１内の位置情報識別子を変更する（Ｓ１０１７）。さらに、端末プレゼンス管理部１１は、移動端末Ａに対してプレゼンス情報の変更が完了したことを通知する（Ｓ１０１８）。なお、位置情報識別子としてＧＰＳによる位置情報を用いる場合、プレゼンス情報の変更は、所定のタイミングで行っても良いし、所定量の移動があった場合に行っても良い。
【００５２】
また、移動端末内で公開ファイルの追加や削除が行われた場合（Ｓ１０１９）、移動端末Ａ内の公開ファイル管理部４６は、公開ファイル記憶部４１１に格納されている公開ファイルの追加や削除を検知し、公開ファイル保持情報記憶部４１２内のテーブルを変更する。さらに、公開ファイル管理部４６は、ファイル共有管理システム１内のファイル管理部１３に、変更した公開ファイル保持情報を公開ファイル保持情報変更要求及び端末識別子と共に送信する（Ｓ１０２０）。ファイル共有管理システム１内のファイル管理部１３は、移動端末Ａから送信された公開ファイル保持情報に基づき、テーブル１３１に変更を加える（Ｓ１０２１）。テーブル１３１への公開ファイルの変更が完了したら、ファイル管理部１３は、移動端末Ａに対して公開ファイル登録完了通知を行う（Ｓ１０２２）。
【００５３】
移動端末Ａ以外の各移動端末Ｂ〜Ｆも上記手順と同様にファイル共有管理システムに対して、コミュニティ登録、コミュニティログイン、プレゼンス情報登録、公開ファイルの登録を行う。
【００５４】
図１４は、各移動端末のプレゼンス情報登録後における端末プレゼンス管理部１１のテーブルの例である。デーブル１１１１は、各端末の移動、音声通話の開始及び終了により変更される。
【００５５】
図１５は、各移動端末の公開ファイル登録後におけるファイル管理部１３のテーブルの例である。例えば、テーブル１３１１では、画像ａが、移動端末Ａ、Ｃ、Ｄにより公開されている。なお、テーブル１３１２は、後に述べるファイル配信により移動端末Ｂが、画像ａを取得した後のテーブルである。
【００５６】
（ファイル配信）
図１３は、公開ファイルの配信動作を示すシーケンス図である。図１３は、移動端末Ｂの公開ファイル要求に基づいて、移動端末Ａから公開ファイルが配信される動作を示す。なお、移動端末Ａ及び移動端末Ｂは、上述のログインの処理により同一のコミュニティにおけるログインの認証がされている。また、ファイル共有管理システム１は、ログインしていない移動端末からの公開ファイル要求を受け付けないようにしてもよい。
【００５７】
まず、移動端末Ｂの公開ファイル管理部４６は、情報入力部４７からの指示によりファイル共有管理システムに対して、コミュニティ１内の公開ファイルの一覧情報要求を送信する（Ｓ１１０１）。本実施の形態の場合は、公開ファイル一覧情報として、ポータル管理部１４が保持しているポータルサイト１４１を要求する。ポータル管理部１４は、移動端末Ｂから公開ファイル一覧情報要求を受信すると、コミュニティ１のポータルサイト１４１を移動端末Ｂに送信する（Ｓ１１０２）。移動端末Ｂは、ポータルサイト１４１を受信し、情報表示部４４に表示する。なお、公開ファイル管理部４６は、ファイル管理部１３を検索して、公開ファイル一覧情報を取得しても良い。
【００５８】
ユーザは、図５に示すようにコミュニティのポータルサイト１４１に表示された公開ファイルの一覧情報から、取得したいファイル（例えば、画像ａ）のチェックボックス１４１１にチェックマークを入れ（Ｓ１１０３）、取得ボタン１４１２をクリックする。移動端末Ｂは、通信制御部４２を介してファイル共有管理システム１に対して画像ａの公開ファイル要求を送信する（Ｓ１１０４）。公開ファイル要求には、ファイル名（画像ａ）と、移動端末Ｂの端末識別子及び／又はネットワーク上のアドレス（ＩＰアドレスなど）とが含まれる。
【００５９】
ファイル共有管理システム１内の配信管理部１３は、移動端末Ｂから送信された公開ファイル要求を受信すると、公開ファイル要求に含まれる情報に基づいて、ファイル管理部１３と端末プレゼンス管理部１１を検索し、移動端末Ｂに対する配信元を決定する（Ｓ１１０５）。本実施の形態の場合、移動端末Ａが配信元として選択される。配信元決定方法についての詳細な説明は後述する。
【００６０】
次に、配信管理部１３は、配信元に指定した移動端末Ａに対して、送信指示情報を送信し、画像ａのファイルを移動端末Ｂに送信するように指示する（Ｓ１１０６）。この時、送信指示情報にはファイル名（画像ａ）と、移動端末Ｂの端末識別子及び／又はネットワーク上のアドレス（ＩＰアドレスなど）とが含まれる。
【００６１】
移動端末Ａ内の通信制御部４２は、配信管理部１３から画像ａの送信指示情報を受信したら、送信指示情報内の端末識別子またはＩＰアドレスに基づき、移動端末Ｂに対して通信コネクションの設定を要求する（Ｓ１１０７）。本実施の形態の場合、移動端末同士は携帯電話網又はＰＨＳ網で接続されているので、移動端末Ａはシグナリング情報を移動端末Ｂに送信する。移動端末Ａからのコネクション設定要求を受信した移動端末Ｂは、移動端末Ａに対してコネクション設定応答を返信する（Ｓ１１０８）。なお、通信コネクションの設定方法については、移動端末を接続するネットワークの種類によって、例えば、ＳＳ７、ＳＩＰ、Ｈ３２３などが用いられる。
【００６２】
コネクションが確立されると、移動端末Ａの通信制御部４２は、画像ａのファイルを公開ファイル記憶部４１１から読み出し、移動端末Ｂに対してファイルの送信を行う（Ｓ１１０９）。ファイルの送信が完了したら、移動端末Ａは移動端末Ｂにコネクション切断要求を送信する（Ｓ１１１０）。移動端末Ａからファイルを受信し、コネクション切断要求を受けた移動端末Ｂは、移動端末Ａに対してコネクション切断応答を返信する（Ｓ１１１１）。なお、通信に対する課金は、コネクション要求側の移動端末Ａに課金し、配信したデータ量に応じてキャッシュバックなどの優待・特典があるようにしてもよい。また、通信料金を定額制としたり、着払いとして移動端末Ｂに課金してもよい。なお、上述の処理では、配信元の移動端末Ａからコネクション要求をしているが、要求元の移動端末Ｂからコネクション要求するようにしても良い。
【００６３】
また、移動端末Ａの通信制御部４２は、移動端末Ｂに送信したデータ量をカウントしておき、公開ファイル送信後、配信管理部１２に公開ファイル配信完了通知と共に送信したデータ量を通知する（Ｓ１１１２）。
配信管理部１２は、移動端末Ａの配信データ量を受信すると、テーブル１２１の移動端末Ａの配信データ量情報を、移動端末Ｂに送信したデータの量を加算した値に変更する（Ｓ１１１３）。
【００６４】
移動端末Ｂ内の公開ファイル管理部４６は、通信制御部４２を介して画像ａの情報を受信したら、公開ファイル記憶部４１１に画像ａの情報を格納する（Ｓ１１１４）。また、公開ファイル管理部４６は、公開ファイル保持情報記憶部４１２内に格納されたテーブル４１２１に画像ａのレコードを追加する（Ｓ１１１５）。この時、追加されるレコードの公開コミュニティ識別子は、公開ファイル要求をしたコミュニティの識別子が記憶される。
【００６５】
また、公開ファイル保持情報記憶部４１２に追加された情報の登録を行うため、移動端末Ｂの公開ファイル管理部４６は、ファイル共有管理システム１内のファイル管理部１３に、公開ファイル保持情報の変更情報を端末識別子と共に送信する（Ｓ１１１６）。
【００６６】
ファイル管理部１３は、移動端末Ｂから送信された変更情報に基づいて、ファイル管理テーブル１３１１を変更する（Ｓ１１１７）。例えば、図１４に示すファイル管理テーブル１３１１は、画像ａを保持する端末に移動端末Ｂが追加され、テーブル１３１２のようになる。ファイル管理テーブル１３１１の変更が完了すると、ファイル管理部１３は、移動端末Ｂに公開ファイル登録が完了したことを通知する（Ｓ１１１８）。
【００６７】
なお、ステップＳ１１１１で記録された配信データ量は、景品と交換可能なポイントや、通信料金またはコミュニティ会員料における割引またはキャッシュバックのポイントや、無料通信時間または通信量に交換可能なポイントなどに換算されてもよい。
【００６８】
（配信元決定処理の詳細説明）
図１６は、配信管理部１２における配信元決定の動作を示すフローチャートである。以下に、本実施の形態における配信管理部１２の動作について詳細に説明する。
配信管理部１２は、移動端末Ｂから画像ａの公開ファイル要求を受信すると、ファイル管理部１３に対して画像ａを保持している移動端末を問い合わせる（Ｓ２０１）。この時、配信管理部１２は、ファイル名（画像ａ）をファイル管理部１３に送信する。ファイル管理部１３は、図１５に示すファイル管理テーブル１３１１から画像ａの保存端末識別子を検索し、配信管理部１２に該当する保存端末識別子を通知する。例えば、本実施の形態の場合、ファイル管理部１３は、移動端末Ａの識別子と移動端末Ｃの識別子と移動端末Ｄの識別子を送信する。
【００６９】
次に、配信管理部１２は、ファイル管理部１３からの保存端末識別子を参照し、該当する保存端末が存在するかを判断する（Ｓ２０２）。
該当する保存端末が存在しない場合、配信管理部１２は、ステップＳ２０７の処理へ移る。一方、該当する保存端末が存在する場合、配信管理部１２は、該当する保存端末（例えば、移動端末Ａと移動端末Ｃと移動端末Ｄ）のプレゼンス情報を、端末プレゼンス管理部１１に問い合わせる（Ｓ２０３）。この時、配信管理部１２は、端末プレゼンス管理部１１に各端末の識別子を送信する。
【００７０】
端末プレゼンス管理部１１は、配信管理部１２から各端末識別子を受信し、受信した端末識別子に基づいて、テーブル１１１１から該当する移動端末（例えば、移動端末Ａと移動端末Ｃと移動端末Ｄ）のプレゼンス情報を取得し、配信管理部１２に送信する。
【００７１】
配信管理部１２は、端末プレゼンス管理部１１から受信したプレゼンス情報を参照して、それぞれの端末が配信可能か否かを判定する（Ｓ２０４）。テーブル１１１１の通信状態情報と通信可能帯域情報から、移動端末Ａは１２８ｋｂｐｓで配信可能、移動端末Ｃは音声通話中のため配信不可、移動端末Ｄは１２８ｋｂｐｓで配信可能ということがわかる。なお、判定の結果、配信可能な端末がなかった場合（Ｓ２０４）、配信管理部１２は、ステップＳ２０７の処理へ移る。
【００７２】
ステップＳ２０７では、配信管理部１２は、該当する配信元が存在しないことを配信要求元である移動端末Ｂに通知し（Ｓ２０７）、処理を終了する。
一方、配信可能な端末がある場合（Ｓ２０４）、配信管理部１２は、さらに配信可能な端末が複数存在するか否かを調べる（Ｓ２０５）。配信可能な端末がただ一つ存在する場合は、配信元端末が自動的に決定され、処理を終了する。
【００７３】
本実施の形態の場合、移動端末Ａと移動端末Ｄの２つの端末が配信可能なので、配信管理部１２は、更に各端末のプレゼンス情報に基づき、最適な配信元をただ一つ決定する（Ｓ２０６）。テーブル１１１１の位置情報識別子から移動端末Ａが移動端末Ｂと同一の無線セルに所属し、移動端末Ｄは移動端末Ｂとは異なる無線セルに所属していることがわかる。また、通信可能帯域情報より移動端末Ａと移動端末Ｄは共に１２８ｋｂｐｓで通信可能なことがわかる。この場合、移動端末Ｂと同一の無線セルに所属する移動端末Ａが、より迅速かつ効率的に移動端末Ｂに画像ａのファイルを配信できる最適な配信元として決定される。なお、全ての配信可能端末が同一の無線セルに所属していた場合は、通信可能帯域の大小で配信元が決定することができる。
【００７４】
最適な配信元の決定は、例えば、上述のように同一の無線セルに所属する移動端末を選択する以外にも、所属する無線セル等の位置情報に関係なく通信可能帯域の大きい移動端末を優先的に選択する等、プレゼンス情報に基づいた適宜の方法を用いることができる。また、位置情報識別子としてＧＰＳによる位置情報を用いている場合、公開ファイルを要求した移動端末Ｂから一定範囲にある移動端末又は近い距離にある移動端末を選択したり、一定範囲の移動端末の中から通信帯域の大きいものを適宜選択したりするようにしてもよい。
【００７５】
以上、本実施の形態では、移動端末Ａと移動端末Ｂによる情報の送受信にについて述べたが、それ以外の移動端末においても同様の処理をすることで、電子情報の共有を実現することができる。また、本実施の形態では、共有する電子情報として画像ａを例としているが、電子情報は動画、音声情報、文字情報等であってもよい。また、これら情報の複数を含んでも良い。
なお、上述の実施の形態では、主に移動端末について説明したが、これに限らず本発明は、ＰＣ、ＰＤＡ等、適宜の固定又は移動しうる無線端末に適用することができる。
【００７６】
【発明の効果】
以上、詳細に説明したように、本発明によれば、複数の移動端末で移動端末内に保存された情報を共有する際、ファイル共有管理システムが、コミュニティ毎の公開ファイルの一覧及び保存場所と、端末ごとの通信状況を示すプレゼンス情報とを管理し、端末から公開ファイル取得の要求があった時に最適な配信元端末を決定して配信指示を出すことで、共有情報の配信元を分散させること、及び、ネットワーク帯域の効率利用が可能となる。また、本発明によると、ユーザはファイル共有管理システムで管理された公開ファイルの一覧を確認してから、所望の情報をだけを取得することができるので無駄な通信を行う必要がない。さらに、本発明によると、コミュニティ内の情報のやり取りはファイル共有管理システムが指示するので、ユーザ側の作業が軽減される。
【図面の簡単な説明】
【図１】実施の形態における電子情報共有システムの全体構成図である。
【図２】端末プレゼンス管理部が保持するテーブルの一例を示す図である。
【図３】配信管理部が保持するテーブルの一例を示す図である。
【図４】ファイル管理部が保持するテーブルの一例を示す図である。
【図５】コミュニティのポータルサイトの一例を示す図である。
【図６】コミュニティ管理部が保持するテーブルの一例を示す図である。
【図７】実施の形態におけるコミュニティ登録画面の一例を示す図である。
【図８】移動端末の構成を示す図である。
【図９】公開ファイル保持情報記憶部が保持するテーブルの一例を示す図である。
【図１０】コミュニティ情報保持部が保持するテーブルの一例を示す図である。
【図１１】実施の形態における全体システム構成を示す図である。
【図１２】コミュニティ登録、コミュニティへのログイン、プレゼンス情報の登録、公開ファイルの登録のシーケンス図である。
【図１３】実施の形態における公開ファイルの配信動作を示すシーケンス図である。
【図１４】実施の形態における端末プレゼンス部が保持するテーブルの一例を示す図である。
【図１５】実施の形態における端末プレゼンス管理部が保持するテーブルの一例を示す図である。
【図１６】配信管理部における配信元決定の動作を示すフローチャートである。
【符号の説明】
１      ファイル共有管理システム
１１    端末プレゼンス管理部
１２    配信管理部
１３    ファイル管理部
１４    ポータル管理部
１５    コミュニティ管理部
１６    ファイル格納部
２      無線通信網
３ａ、３ｂ、…、３ｎ    基地局
４ａ−１、４ａ−２、…、４ａ−ｎ、…、４ｎ−１、４ｎ−２、…、４ｎ−ｎ  移動端末
５      ネットワーク
６ａ、…、６ｎ    無線セル
１１１、１１１１    端末プレゼンス管理部のテーブル
１２１    配信管理部のテーブル
１３１、１３１１、１３１２    ファイル管理部のテーブル
１４１    コミュニティサイト
１４１１  チェックボックス
１４１２  取得ボタン
１４１３、１５０３    キャンセルボタン
１５０    コミュニティ登録情報入力画面
１５０１  情報入力表
１５０２  登録ボタン
１５１１、１５１２  コミュニティ管理部のテーブル
４１      情報格納部
４１１    公開ファイル記憶部
４１２    公開ファイル保持情報記憶部
４１２１  公開ファイル保持情報記憶部のテーブル
４１３    コミュニティ情報保持部
４１３１  コミュニティ情報保持部のテーブル
４１４    位置情報識別子保持部
４１５    端末識別子保持部
４２      通信制御部
４３      プレゼンス制御部
４４      情報表示部
４５      コミュニティ制御部
４６      公開ファイル管理部
４７      情報入力部
【図１】
2004172818.tif 000003
【図２】
2004172818.tif 000004
【図３】
2004172818.tif 000005
【図４】
2004172818.tif 000006
【図５】
2004172818.tif 000007
【図６】
2004172818.tif 000008
【図７】
2004172818.tif 000009
【図８】
2004172818.tif 000010
【図９】
2004172818.tif 000011
【図１０】
2004172818.tif 000012
【図１１】
2004172818.tif 000013
【図１２】
2004172818.tif 000014
【図１３】
2004172818.tif 000015
【図１４】
2004172818.tif 000016
【図１５】
2004172818.tif 000017
【図１６】
2004172818.tif 000018